(57)【要約】【課題】情報処理端末のカバーは放射ノイズの防止効果を高める為金属製である。オプションでＤＶＤユニットを取り付けるとメディアを出し入れする開口部を設ける必要があるため予め開口部を設けるために情報処理端末のカバーには別途ダミーカバーが取り付けてある。このダミーカバーも放射ノイズの防止のため金属製である。ダミーカバーはオプションのＤＶＤユニットを取り付けるとメディア出し入れのための開口部を設けるために除去することとなり高額のダミーカバーを廃棄する。【解決手段】ダミーカバーは安価な非金属製とするとともに、オプション取り付け台と筐体側カバーとの間に弾性力を有した金属含有シートを備えた情報処理端末を提供する。【選択図】図５
2012064274.tif 000002
【特許請求の範囲】
【請求項１】
筺体の内部に回路基板、電源ユニット、オプション取り付け台を有した情報処理端末であって、
オプション取り付け台と筐体側カバーとの間に弾性力を有した金属含有シートを設けたことを特徴とする情報処理端末。
【請求項２】
前記金属含有シートは幅方向と直角の方向に少なくとも１ヶ所の切れ込みを設けたことを特徴とする請求項１記載の情報処理端末。
【発明の詳細な説明】
【技術分野】
【０００１】
本発明は、放射ノイズ対策効率を高めた情報処理端末に関する。
【背景技術】
【０００２】
パソコンやＰＯＳ端末のような情報処理端末は放射ノイズ対策の為筐体を金属にしている場合が多い（例えば、特許文献１）。また情報処理端末は別途オプションとしてＤＶＤユニット等を取り付ける場合があり、筐体内にＤＶＤユニット等を搭載出来る空間を予め設けてある。ＤＶＤユニット等はメディアを出し入れすると言った行為を行う必要がある。この為オプションとしてＤＶＤユニット等を取り付ける場合はメディアを出し入れする為の開口部を設ける必要があり、その際はカバーに設けられているダミーカバーを取り外しカバーに開口部を設けそこからメディアの出し入れを行う。
【０００３】
この状態を図８にて説明する。図８は情報処理端末におけるオプションのＤＶＤユニットを取り付けた状態での後方斜視図である。
情報処理端末1は放射ノイズ対策のためトップカバー（図示せず）とフロントカバー（図示せず）を金属製にしてある。オプションであるＤＶＤユニットを情報処理端末１に取り付ける際、トップカバーとフロントカバーを外した状態において情報処理端末1に設けられているＤＶＤユニット取り付け台７にＤＶＤユニット９を取り付ける。なお取り付けられたＤＶＤユニット９はメディアをフロントカバーの外より出し入れするためフロントカバーに開口部を設ける必要がある。この開口部はフロントカバーにネジ１４にて取り付けられているダミーカバー１３を外す事で発生させる。すなわちＤＶＤユニットを取り付けていない場合はダミーカバー１３をフロントカバーに付けておき、ＤＶＤユニットを取り付けるばあいはダミーカバーを外すこととなる。
【０００４】
情報処理端末１内部から外部に対して放射される放射ノイズを対策する為にダミーカバー１３もトップカバーと同様金属にて作られている。このダミーカバー１３はＤＶＤユニット９を取り付けた後にはフロントカバーから外さなければならず、一度ＤＶＤユニット９が情報処理端末１内部に取り付けられた後は使用はしない為コスト的にも高いと言った問題がある。
【先行技術文献】
【特許文献】
【０００５】
【特許文献１】特開平１１−９６７３９号公報
【発明の概要】
【発明が解決しようとする課題】
【０００６】
本発明は、オプションを取り付ける際の放射ノイズ対策効率を高めた情報処理端末を提供することを目的とする。
【課題を解決するための手段】
【０００７】
本発明は、オプションＤＶＤを取り付ける際に外す事により開口部を設ける為のダミーカバーは非金属であるとともにＤＶＤユニットが取り付けられていないときにはボトムカバーとＤＶＤユニットを取り付けるＤＶＤユニット取り付け台とを常時接触させるアルミ材を含有したシート、を備える情報処理端末を提供する。
【図面の簡単な説明】
【０００８】
【図１】図１は、本発明の情報処理端末の前方から見た斜視図である。
【図２】図２は、本発明の情報処理端末のフロントパネルを開いた状態の前方斜視図である。
【図３】図３は、本発明の情報処理端末のトップカバーを外した状態の後方斜視図である。
【図４】図４は、本発明の情報処理端末のトップカバーを外し、フロントカバーを取り外した状態の後方斜視図である。
【図５】図５は、本発明の情報処理端末のトップカバーを外し、オプションのＤＶＤユニットを取り付けた状態の後方斜視図である。
【図６】図６は、本発明の情報処理端末の内部にオプションのＤＶＤユニットを取り付けていない状態のアルミ材含有ポリエステルシートの形状を示す。
【図７】図７は、本発明の情報処理端末の内部にオプションのＤＶＤユニットを取り付けた状態のアルミ材含有ポリエステルシートの形状を示す。
【図８】図８は、従来の情報処理端末におけるオプションのＤＶＤユニットを取り付けた状態の後方斜視図である。
【発明を実施するための形態】
【０００９】
以下に、本発明の一実施形態に係る情報処理端末を、図１乃至図７を参照して詳細に説明する。なお従来の技術の説明において説明した部分と同一の部分は同一符号を用いてその説明も省略する。
【００１０】
図１は、本発明の情報処理端末の前方から見た斜視図である。情報処理端末１は金属製のトップカバー２に覆われており、情報処理端末１の前面にはフロントパネル３が設けられている。
【００１１】
図２は、本発明の情報処理端末１のフロントパネル３を開いた状態の前方斜視図である。情報処理端末１を使用するときはフロントパネル３を開き使用する。フロントパネル３を開くとフロントカバー４が設けられておりフロントカバー４にはＤＶＤ用開口部５が設けられている。なおフロントカバー４は金属にて作られている。
【００１２】
図３は、本発明の情報処理端末１のトップカバー２を外した状態の後方斜視図である。情報処理端末１内部にはＰＣＢ（図示せず）や電源ユニット１０等が設けられており、オプションにてＤＶＤユニットを設ける場合はＤＶＤ取り付け台７にＤＶＤユニットを取り付ける。なお図３はオプションのＤＶＤユニットの取り付け前の状態を示している。
オプションのＤＶＤが取り付けられていない場合、フロントカバー４のＤＶＤ開口部５にはモールドで作られたダミーカバー１３が設けられており（図４参照）、またアルミ材含有ポリエステルシート６がネジ１１にてボトムカバー８に取り付けられており、アルミ材含有ポリエステルシート６のボトムカバー８側と反対の側はＤＶＤ取り付け台７に接触している。
【００１３】
次に図５を用いてオプションであるＤＶＤユニット９を情報処理端末１内に取り付けた場合を説明する。
図５に示す様にＤＶＤユニット９はＤＶＤ取り付け台７に取り付けられる。この際ＤＶＤユニット９はフロントカバー３側から情報処理端末１の後方に向かって押し込む方向で取り付けられる。
【００１４】
この場合においてもアルミ材含有ポリエステルシート６がネジ１１にてボトムカバー８に取り付けられているが、アルミ材含有ポリエステルシート６は弾性力を有している。
【００１５】
オプションのＤＶＤユニット９が取り付けられていない場合と取り付けられている場合のアルミ材含有ポリエステルシート６の形状を図６および図７に示す。図６はオプションのオプションのＤＶＤが取り付けられていない場合であり、アルミ材含有ポリエステルシート６の一端側はネジ１１にてボトムカバー８に取り付けられており、他端側はＤＶＤ取り付け台７に接触している。
【００１６】
図７はオプションのＤＶＤが取り付けられている場合であり、アルミ材含有ポリエステルシート６の一端側はネジ１１にてボトムカバー８に取り付けられており、他端側はＤＶＤ取り付け台７の上に取り付けられているＤＶＤユニット９の上面に接触している。
【００１７】
ここでＤＶＤユニット９はフロントカバー４のＤＶＤ用開口部５よりメディアを出し入れする必要がある。この為オプションのＤＶＤを取り付けた際には開口部カバー１３をフロントカバー４より外す。
【００１８】
次に本発明の効果について説明する。
【００１９】
オプションのＤＶＤユニット９が取り付けられていない場合、図６に示す様にアルミ材含有ポリエステルシート６の一端側はネジ１１にてボトムカバー８に取り付けられており、他端側はＤＶＤ取り付け台７に接触している。
アルミ材含有ポリエステルシート６はポリエステル材にアルミニウムを含有させたものをシート状にしたものであり弾性力を有している。この為オプションのＤＶＤユニット９が取り付けられていない場合において情報処理端末１の内部にて発生した放射ノイズはアルミ材含有ポリエステルシート６にて遮断されるため開口部カバー１３が金属製でなくとも情報処理端末１より外に漏れるの抑えることが出来る。
【００２０】
オプションのＤＶＤユニット９を取り付けた場合、図７に示す様にアルミ材含有ポリエステルシート６の一端側はネジ１１にてボトムカバー８に取り付けられており、他端側はＤＶＤ取り付け台７に取り付けられたＤＶＤユニット９の上面に接触している。アルミ材含有ポリエステルシート６は弾性力を有している為オプションのＤＶＤ９サイズに合せて曲げを変えＤＶＤ９の上面に接触している。この為こオプションのＤＶＤユニット９が取り付けられている場合においても情報処理端末１の内部にて発生した放射ノイズはアルミ材含有ポリエステルシート６にて遮断されるため情報処理端末１より外に漏れるの抑えることが出来る。
【００２１】
この様に弾性力を有しているアルミ材含有ポリエステルシート６によりオプションのＤＶＤユニット９の取り付け有無で位置調整等を行う必要はなく、オプションのＤＶＤユニット９を取り付けていない場合において開口部カバー１３を非金属製にする事が可能となり金属製の開口部カバーの使用に比べ安価が実現できる。
【００２２】
なおアルミ材含有ポリエステルシート６には切り込み１５を設けても良い。これにより仮にＤＶＤユニット９の幅方向サイズが小さくともＤＶＤユニット９の幅方向より外側にある切れ込みにより切れ込みの外側の部分はＤＶＤユニット９がない状態と同じに曲がるのでノイズ防止効果を維持する事が可能である。
【００２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１：情報処理端末
２：トップカバー
３：フロントパネル
４：フロントカバー
５：ＤＶＤ用開口部
６：アルミ材含有ポリエステルシート
７：ＤＶＤユニット取り付け台
８：ボトムカバー
９：ＤＶＤユニット
１０：電源ユニット
１１：ネジ
１２：開口部カバー
１３：ダミーカバー
１４：ネジ
１5：切れ込み
【図１】
2012064274.tif 000003
【図２】
2012064274.tif 000004
【図３】
2012064274.tif 000005
【図４】
2012064274.tif 000006
【図５】
2012064274.tif 000007
【図６】
2012064274.tif 000008
【図７】
2012064274.tif 000009
【図８】
2012064274.tif 000010